(57)【要約】【課題】軒樋の位置を屋根からの雨水を受ける進出位置と受けない退避位置とで適期に自動で変更させることができ、しかも、この位置の変更を長期にわたって安定良く行わせることができる軒先構造を提供する。【解決手段】軒樋１を、屋根５からの雨水を受ける進出位置と、受けない退避位置とで位置を変更することができるようにする駆動手段が、冬期の気温で収縮状態を維持し、冬期以外の気温で膨張状態を維持する温度依存型の収縮膨張性の物質、例えばワックスを入れたシリンダー７からなり、該シリンダー７内の前記物質の膨張収縮の状態変化によってシリンダー７が作動し、軒樋１の前記位置の変更が行われるようになされている。【選択図】　　　図１
2004116265.tif 000002
【特許請求の範囲】
【請求項１】
軒樋が、屋根からの雨水を受ける進出位置と、受けない退避位置とで位置を変更することができるように備えられ、かつ、これら位置の変更を司る駆動手段が備えられ、
該駆動手段が、冬期の気温で収縮状態を維持し、冬期以外の気温で膨張状態を維持する温度依存型の収縮膨張性の物質を入れたシリンダーからなり、該シリンダー内の前記物質の膨張収縮の状態変化によってシリンダーが作動し、軒樋の前記位置の変更が行われるようになされていることを特徴とする軒先構造。
【請求項２】
前記軒樋が、軒線方向に回動軸線を向けた回動動作によって進出位置と退避位置とを行き来するようになされて、退避位置において軒樋の雨受け口が外に向くようになされている請求項１に記載の軒先構造。
【発明の詳細な説明】
【０００１】
【発明の属する技術分野】
本発明は、軒先構造に関する。
【０００２】
【従来の技術】
北海道などの積雪する地方の住宅等の建物において、軒樋は、冬期は、落雪の妨げとなり、また、軒樋内への積雪や落雪により大きなつららを生じさせてしまう原因となりうるものであり、建物から省略されることが多い。
【０００３】
しかしながら、軒樋を建物からなくしてしまうと、春先の融雪時期に融雪水が軒先から垂れ落ちたり、また、春期、夏期、秋期に雨が降って雨水が軒先から垂れ落ちるという問題がある。
【０００４】
【関連技術】
そこで、軒樋を、屋根からの雨水を受ける進出位置と、受けない退避位置とで位置の変更を行うことができるように軒先に備えさせ、これら位置の変更を電動モーターで行うようにすることも考えられる。
【０００５】
【発明が解決しようとする課題】
しかしながら、上記のような特定目的の可動の軒樋は、年に何度も移動させるものではないなかで、何年にもわたって適期に安定良く位置の変更を行いうるものであることが求められるため、電動式では、作動の安定確保が難しいという問題がある。
【０００６】
もちろん、軒樋を人の手で動かしたり、人手で軒樋の取外し取付けを行うようにして対応することも手段として考えられないではないが、それは、軒樋の設置される位置が高所であるため、煩わしいことである。
【０００７】
本発明は、このような背景において、軒樋の位置を屋根からの雨水を受ける進出位置と受けない退避位置とで適期に自動で変更させることができ、しかも、この位置の変更を長期にわたって安定良く行わせることができる軒先構造を提供することを課題とする。
【０００８】
【課題を解決するための手段】
上記の課題は、軒樋が、屋根からの雨水を受ける進出位置と、受けない退避位置とで位置を変更することができるように備えられ、かつ、これら位置の変更を司る駆動手段が備えられ、
該駆動手段が、冬期の気温で収縮状態を維持し、冬期以外の気温で膨張状態を維持する温度依存型の収縮膨張性の物質を入れたシリンダーからなり、該シリンダー内の前記物質の膨張収縮の状態変化によってシリンダーが作動し、軒樋の前記位置の変更が行われるようになされていることを特徴とする軒先構造によって解決される。
【０００９】
この構造では、進出位置と退避位置の位置変更を司る駆動手段として、冬期の気温で収縮状態を維持し、冬期以外の気温で膨張状態を維持する温度依存型の収縮膨張性の物質を入れたシリンダーを採用しているから、この物質の気温による収縮膨張作用によって、軒樋は、冬期には屋根からの雨水を受ける進出位置に位置し、冬期以外には屋根からの雨水を受けない退避位置に位置し、従って軒樋の位置の変更を適期に自動で行わせることができる。
【００１０】
しかも、上記のような物質を入れたシリンダーを設置するだけの簡素な無電気構造によってこれを実現するものであるから、軒樋の位置の変更を長期にわたって安定良く行わせていくことができる。
【００１１】
軒樋が、軒線方向に回動軸線を向けた回動動作によって進出位置と退避位置とを行き来するようになされて、退避位置において軒樋の雨受け口が外に向くようになされている場合は、冬期の退避位置において、軒樋内のメンテナンスを容易に行うことができ、また、仮に軒樋の退避位置が外寄りに設定されていて軒樋に積雪や落雪を生じるようなことがあっても、それが原因で大きなつららを生じさせてしまうというようなことは起こらない。
【００１２】
なお、上記のような駆動手段の有無を問わず、軒樋が、軒線方向に回動軸線を向けた回動動作によって雨受け口を上に向けた雨受け状態と雨受け口を外に向けた開き状態とで状態を変更させることができるようになされている軒樋構造によれば、軒樋内のメンテナンスを必要に応じて容易に行っていくことができる。
【００１３】
【発明の実施の形態】
次に、本発明の実施形態を図面に基づいて説明する。
【００１４】
図１に示す実施形態の軒先構造において、１は軒樋であり、軒樋１はブラケット２を介して下地材３に取り付けられ、この軒樋側下地材３は羽根丁番４を介して屋根５側の下地材６に連結され、丁番４の回動軸４ａは軒線方向に向けられ、軒樋１は、丁番の軸４ａを中心に回動し、図１（イ）に示すように屋根５からの雨水を受ける進出位置と、図１（ロ）に示すように受けない退避位置とで位置を変更することができるようになされている。
【００１５】
そして、屋根５側の下地材６には、駆動シリンダー７が固着され、そのロッド７ａは、丁番の回動軸４ａから下方に偏心した直線経路上で進退動作を行うようになされていて、進出することにより軒樋１側の下地材３を軒外側に押動させて軒樋１を屋根５からの雨水を受ける進出位置に位置させ、後退することにより軒樋１側の下地材３を軒下側に移動させて軒樋１を屋根５からの雨水を受けない退避位置に位置させることができるようになされている。
【００１６】
このシリンダー７には、冬期の気温で収縮状態を維持し、冬期以外の気温で膨張状態を維持する温度依存型の収縮膨張性の物質、例えばワックスが入れられており、シリンダー７の周囲、実施形態では陽の当たりにくい軒下の気温をその物質が感知し、無電気にして自動でロッド７ａの進退作動が行われるようになされている。
【００１７】
なお、軒樋１が駆動シリンダー７によって上記のような位置の変更を行いうるようにするため、シリンダー７のロッド７ａは軒樋１側に連結しておくようにしてもよいし、あるいは、連結せずに、軒樋１の側を進出位置から退避位置に向けて付勢するバネなどの付勢手段を備えさせておいてもよいし、あるいはまた、連結せずに、シリンダー７の後退作動時に軒樋１側がその自重で退避位置へと移動していくようになされていてもよい。また、軒樋１側が所定の進出位置と退避位置の各位置で位置決めされるように、ストッパーを備えさせておくのもよい。
【００１８】
上記の軒先構造では、軒樋１の進出位置と退避位置の位置変更を司る駆動手段として、冬期の気温で収縮状態を維持し、冬期以外の気温で膨張状態を維持する温度依存型の収縮膨張性の物質を入れたシリンダー７を採用しているから、この物質の気温による収縮膨張の状態変化作用によって、軒樋１を、冬期には屋根５からの雨水を受ける進出位置に位置させ、冬期以外には屋根５からの雨水を受けない退避位置に位置させることができ、従って、軒樋１の位置の変更を適期に自動で行わせることができる。しかも、このような物質を入れたシリンダー７を設置するだけの簡素な無電気構造によってこれを実現するものであるから、軒樋１の上記のような位置の変更を長期にわたって安定良く行わせていくことができる。
【００１９】
また、本実施形態では、軒樋１を平行移動ではなく、軒線方向に回動軸線を向けた丁番４による回動動作によって進出位置と退避位置とを行き来し、冬期の退避位置において、軒樋１の雨受け口１ａが外を向くようになされているので、軒樋１内のメンテナンス、例えば異物の除去や清掃などを容易に行うことができると共に、仮に軒樋１の退避位置が外寄りに設定されていて軒樋１に積雪や落雪を生じたとしても、それが原因で大きなつららを生じさせてしまうというようなことは起こらない。
【００２０】
以上に、本発明の実施形態を示したが、本発明はこれに限られるものではなく、発明思想を逸脱しない範囲で、各種の変更が可能である。例えば、上記の実施形態では、冬期の気温で収縮状態を維持し、冬期以外の気温で膨張状態を維持する温度依存型の収縮膨張性の物質としてワックスを用いた場合を示しているが、これに限らず、要はそのような機能を備えた物質であればよい。また、上記の実施形態では、シリンダーロッド７ａの押動動作によって雨樋１の側を進出位置に移動させる場合を示しているが、シリンダーの設置位置を変更すると共に、シリンダーの構造を変更することによってシリンダーロッドの引動動作によって雨樋の側を進出位置へと移動させていくようにしてもよい。また、軒樋をシリンダーによって平行移動させることにより進出位置と退避位置とを行き来させるようにしてもよい。
【００２１】
【発明の効果】
本発明の軒先構造は、以上のとおりのものであるから、軒樋の位置を屋根からの雨水を受ける進出位置と受けない退避位置とで適期に自動で変更させることができ、しかも、この位置の変更を長期にわたって安定良く行わせることができる。
【図面の簡単な説明】
【図１】実施形態の軒先構造を示すもので、図（イ）は冬期以外の状態を示す断面側面図、図（ロ）は冬期の状態を示す断面側面図である。
【符号の説明】
１…軒樋
１ａ…雨受け口
４…丁番
５…屋根
７…駆動シリンダー
【図１】
2004116265.tif 000003